【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
タッチセンサと、
前記タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理と
を行う制御部と、
前記第１の動作に関連付けられた指標と、前記第２の動作に関連付けられた指標とを表示する表示部と
を備え、
前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、
ことを特徴とする電子機器。
【請求項２】
タッチセンサと、
前記タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と
を行う制御部と、
前記第１の動作に関連付けられた指標と、前記第２の動作に関連付けられた指標とを表示する表示部と
を備え、
前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する、
ことを特徴とする電子機器。
【請求項３】
タッチセンサと、
前記タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理と
を行う制御部と、
前記第１の動作に関連付けられた指標と、前記第２の動作に関連付けられた指標とを表示する表示部と
を備え、
前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、
ことを特徴とする電子機器。
【請求項４】
タッチセンサと、
前記タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と
を行う制御部と、
前記第１の動作に関連付けられた指標と、前記第２の動作に関連付けられた指標とを表示する表示部と
を備え、
前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する、
ことを特徴とする電子機器。
【請求項５】
前記タッチセンサは、前記表示部に重ねて配置される、
ことを特徴とする請求項１〜４のいずれか１項に記載の電子機器。
【請求項６】
前記タッチセンサは透明である、
ことを特徴とする請求項１〜５のいずれか１項に記載の電子機器。
【請求項７】
前記第１の動作は、任意の機能に係る値を大きくする動作、又は小さくする動作である、
ことを特徴とする請求項１〜６のいずれか１項に記載の電子機器。
【請求項８】
前記第２の動作は、任意の機能をオンからオフ、又は、オフからオンに切り替える動作である、
ことを特徴とする請求項１〜７のいずれか１項に記載の電子機器。
【請求項９】
前記電子機器はズーム手段を有する撮像装置であり、
前記第１の動作は前記ズーム手段に係る動作である、
ことを特徴とする請求項１〜８のいずれか１項に記載の電子機器。
【請求項１０】
前記電子機器は撮像装置であり、
前記第２の動作は、顔検出機能をオンからオフ、又は、オフからオンに切り替える動作である、
ことを特徴とする請求項１〜９のいずれか１項に記載の電子機器。
【請求項１１】
前記電子機器は撮像装置であり、
前記第２の動作は、自動露出機能をオンからオフ、又は、オフからオンに切り替える動作である、
ことを特徴とする請求項１〜１０のいずれか１項に記載の電子機器。
【請求項１２】
前記第２の動作に関連付けられた指標は、前記第２の動作に係る文字、又は、前記第２の動作に係るアイコンである、
ことを特徴とする請求項１〜１１のいずれか１項に記載の電子機器。
【請求項１３】
前記第１の動作に関連付けられた指標は、前記第１の動作に係る文字、又は、前記第１の動作に係るアイコンである、
ことを特徴とする請求項１〜１２のいずれか１項に記載の電子機器。
【請求項１４】
前記制御部は、前記タッチセンサに対して非接触の状態から前記タッチセンサにおける第１の領域が触れられてから前記タッチセンサに対して接触している状態を維持して行われた第３の操作に応じて前記第１の動作に関連する第３の動作を実行させる、
ことを特徴とする請求項１〜１３のいずれか１項に記載の電子機器。
【請求項１５】
前記第１の動作は、前記第１及び第３の動作に係る任意の機能に係る値を大きくする動作であり、前記第３の動作は、前記第１及び第３の動作に係る任意の機能に係る値を小さくする動作である、
ことを特徴とする請求項１４記載の電子機器。
【請求項１６】
前記電子機器はズーム手段を有する撮像装置であり、
前記第１及び第３の動作に係る任意の機能は前記ズーム手段を動作させるためのズーム機能であり、
前記第１の動作は、前記ズーム手段を望遠側に動作させてズーム倍率を大きくする動作であり、
前記第３の動作は、前記ズーム手段を広角側に動作させてズーム倍率を小さくする動作である、
ことを特徴とする請求項１４又は１５に記載の電子機器。
【請求項１７】
前記第１の動作に関連付けられた指標は、前記第１及び第３の動作に関連付けられた指標である、
ことを特徴とする請求項１４〜１６のいずれか１項に記載の電子機器。
【請求項１８】
前記第１の動作に関連付けられた指標は、前記第１及び第３の動作に係る文字、又は、前記第１及び第３の動作に係るアイコンであることを特徴とする請求項１７記載の電子機器。
【請求項１９】
前記表示部と前記タッチセンサとは別体である、
ことを特徴とする請求項１〜１８のいずれか１項に記載の電子機器。
【請求項２０】
タッチセンサに対して非接触の状態から前記タッチセンサにおける第１の領域が触れられてから前記タッチセンサに対して接触している状態を維持して行われた第１の操作に応じて、第１の動作を実行させるステップと、
前記タッチセンサに対して非接触の状態から前記タッチセンサにおける第２の領域が触れられて行われた第２の操作に応じて、第２の動作を実行させるステップと、
前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御するステップと、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するステップと
を有することを特徴とする制御方法。
【請求項２１】
タッチセンサに対して非接触の状態から前記タッチセンサにおける第１の領域が触れられてから前記タッチセンサに対して接触している状態を維持して行われた第１の操作に応じて、第１の動作を実行させるステップと、
前記タッチセンサに対して非接触の状態から前記タッチセンサにおける第２の領域が触れられて行われた第２の操作に応じて、第２の動作を実行させるステップと、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御するステップと
を有することを特徴とする制御方法。
【請求項２２】
タッチセンサに対して非接触の状態から前記タッチセンサにおける第１の領域が触れられてから前記タッチセンサに対して接触している状態を維持して行われた第１の操作に応じて、第１の動作を実行させるステップと、
前記タッチセンサに対して非接触の状態から前記タッチセンサにおける第２の領域が触れられて行われた第２の操作に応じて、第２の動作を実行させるステップと、
前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御するステップと、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するステップと
を有することを特徴とする制御方法。
【請求項２３】
タッチセンサに対して非接触の状態から前記タッチセンサにおける第１の領域が触れられてから前記タッチセンサに対して接触している状態を維持して行われた第１の操作に応じて、第１の動作を実行させるステップと、
前記タッチセンサに対して非接触の状態から前記タッチセンサにおける第２の領域が触れられて行われた第２の操作に応じて、第２の動作を実行させるステップと、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御するステップと
を有することを特徴とする制御方法。
【請求項２４】
コンピュータを、
タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理と、
前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう表示部を制御する処理と
を行う制御手段、
として機能させることを特徴とするプログラム。
【請求項２５】
コンピュータを、
タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理と
を行う制御手段、
として機能させることを特徴とするプログラム。
【請求項２６】
コンピュータを、
タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理と、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御する処理と
を行う制御手段、
として機能させることを特徴とするプログラム。
【請求項２７】
コンピュータを、
タッチセンサに対して非接触の状態から前記タッチセンサにおける第１の領域が触れられてから前記タッチセンサに対して接触している状態を維持して行われた第１の操作に応じて、第１の動作を実行させる処理と、
前記タッチセンサに対して非接触の状態から前記タッチセンサにおける第２の領域が触れられて行われた第２の操作に応じて、第２の動作を実行させる処理と、
前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理と
を行う制御手段、
として機能させることを特徴とするプログラム。
【手続補正２】
【補正対象書類名】明細書
【補正対象項目名】０００６
【補正方法】変更
【補正の内容】
【０００６】
本発明は上述した従来の技術の課題を解決するため、タッチセンサと、前記タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理とを行う制御部と、前記第１の動作に関連付けられた指標と、前記第２の動作に関連付けられた指標とを表示する表示部とを備え、前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、ことを特徴とする電子機器を提供する。
また、本発明は上述した従来の技術の課題を解決するため、タッチセンサと、前記タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理とを行う制御部と、前記第１の動作に関連付けられた指標と、前記第２の動作に関連付けられた指標とを表示する表示部とを備え、前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する、ことを特徴とする電子機器を提供する。
また、本発明は上述した従来の技術の課題を解決するため、タッチセンサと、前記タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理とを行う制御部と、前記第１の動作に関連付けられた指標と、前記第２の動作に関連付けられた指標とを表示する表示部とを備え、前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御する、ことを特徴とする電子機器を提供する。
また、本発明は上述した従来の技術の課題を解決するため、タッチセンサと、前記タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理とを行う制御部と、前記第１の動作に関連付けられた指標と、前記第２の動作に関連付けられた指標とを表示する表示部とを備え、前記制御部は、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する、ことを特徴とする電子機器を提供する。
また、本発明は上述した従来の技術の課題を解決するため、タッチセンサに対して非接触の状態から前記タッチセンサにおける第１の領域が触れられてから前記タッチセンサに対して接触している状態を維持して行われた第１の操作に応じて、第１の動作を実行させるステップと、前記タッチセンサに対して非接触の状態から前記タッチセンサにおける第２の領域が触れられて行われた第２の操作に応じて、第２の動作を実行させるステップと、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御するステップと、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するステップとを有することを特徴とする制御方法を提供する。
また、本発明は上述した従来の技術の課題を解決するため、タッチセンサに対して非接触の状態から前記タッチセンサにおける第１の領域が触れられてから前記タッチセンサに対して接触している状態を維持して行われた第１の操作に応じて、第１の動作を実行させるステップと、前記タッチセンサに対して非接触の状態から前記タッチセンサにおける第２の領域が触れられて行われた第２の操作に応じて、第２の動作を実行させるステップと、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御するステップとを有することを特徴とする制御方法を提供する。
また、本発明は上述した従来の技術の課題を解決するため、タッチセンサに対して非接触の状態から前記タッチセンサにおける第１の領域が触れられてから前記タッチセンサに対して接触している状態を維持して行われた第１の操作に応じて、第１の動作を実行させるステップと、前記タッチセンサに対して非接触の状態から前記タッチセンサにおける第２の領域が触れられて行われた第２の操作に応じて、第２の動作を実行させるステップと、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御するステップと、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するステップとを有することを特徴とする制御方法を提供する。
また、本発明は上述した従来の技術の課題を解決するため、タッチセンサに対して非接触の状態から前記タッチセンサにおける第１の領域が触れられてから前記タッチセンサに対して接触している状態を維持して行われた第１の操作に応じて、第１の動作を実行させるステップと、前記タッチセンサに対して非接触の状態から前記タッチセンサにおける第２の領域が触れられて行われた第２の操作に応じて、第２の動作を実行させるステップと、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御するステップとを有することを特徴とする制御方法を提供する。
また、本発明は上述した従来の技術の課題を解決するため、コンピュータを、タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理と、前記第１の動作に関連付けられた指標と、前記第２の動作に関連付けられた指標とを前記表示部が表示している状態において、前記タッチセンサに対して非接触の状態から前記第１の領域が触れられたことに応じて、前記第２の動作に関連付けられた指標を消去するよう表示部を制御する処理とを行う制御手段、として機能させることを特徴とするプログラムを提供する。
また、本発明は上述した従来の技術の課題を解決するため、コンピュータを、タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられた場合には、前記第２の動作を実行しないよう制御する処理とを行う制御手段、として機能させることを特徴とするプログラムを提供する。
また、本発明は上述した従来の技術の課題を解決するため、コンピュータを、タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理と、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御する処理とを行う制御手段、として機能させることを特徴とするプログラムを提供する。
また、本発明は上述した従来の技術の課題を解決するため、コンピュータを、タッチセンサに対して非接触の状態から前記タッチセンサにおける第１の領域が触れられてから前記タッチセンサに対して接触している状態を維持して行われた第１の操作に応じて、第１の動作を実行させる処理と、前記タッチセンサに対して非接触の状態から前記タッチセンサにおける第２の領域が触れられて行われた第２の操作に応じて、第２の動作を実行させる処理と、前記第１の動作に関連付けられた指標と、前記第２の動作に関連付けられた指標とを表示部が表示している状態において、前記タッチセンサに対して非接触の状態から前記第１の領域が触れられたことに応じて、前記第２の動作に関連付けられた指標を消去するよう前記表示部を制御するとともに、前記タッチセンサに対して非接触の状態から前記タッチセンサにおける第１の領域が触れられてから前記タッチセンサに対して接触している状態を維持して前記第２の領域が触れられて行われた操作に応じては、前記第２の動作を実行しないよう制御する処理とを行う制御手段、として機能させることを特徴とするプログラムを提供する。